(57)【特許請求の範囲】
【請求項１】
弁体と、キャップと、エアカップと、調節栓とを備える排気弁であって、
前記弁体は、中空状を呈する筒身を有し、前記筒身の一端に入気孔を設け、かつ前記筒身の内部に階段状止縁を有し、
前記キャップは、前記筒身の他端に設けられ、かつ前記階段状止縁に相対して収容空間を有し、しかも前記キャップの内部に第１の螺合ユニットを設け、
前記エアカップは、前記階段状止縁と前記キャップとの間に挟設されるためのカップ辺縁を有するとともに、挿入接続部を有し、しかも前記エアカップの材質が金属であり、
前記調節栓は、前記収容空間内に挿設され、しかも前記第１の螺合ユニットと螺接するための第２の螺合ユニットを設け、前記調節栓は、前記エアカップの挿入接続部に挿入して閉塞されるように、前記第２の螺合ユニットに相対して挿入脚が延設され、かつ前記挿入脚の形状が前記エアカップの内部の形状に対応することにより、前記挿入脚が前記挿入接続部に対して選択的に移動してスリットを形成したときに、ガスの排気速度を調節することを特徴とする排気弁。
【請求項２】
前記弁体は、さらに排気孔が設けられており、しかも前記ガスが、前記入気孔から進入し、前記スリットを経由して前記排気孔から排出されることを特徴とする、請求項１に記載の排気弁。
【請求項３】
前記第１の螺合ユニットが螺合孔であることを特徴とする、請求項１に記載の排気弁。
【請求項４】
前記第２の螺合ユニットがおねじであることを特徴とする、請求項１に記載の排気弁。
【請求項５】
前記調節栓の端縁に溝槽が設けられていることによって、工具により前記溝槽を利用して前記調節栓を駆動させることを特徴とする、請求項１に記載の排気弁。
【発明の詳細な説明】
【技術分野】
【０００１】
本発明は、排気弁に係り、特に金属材質のエアカップを利用して製作された排気弁に関するものである。
【背景技術】
【０００２】
近年、人が健康に関して益々重要視されるに伴い、使用の利便性を与えるために、製造業者が様々な医療用具を研究開発し始める。例えば、身体の健康状態を追跡し続けるように、血圧計の使用が各家庭にとっては、なくてはならない医療器材の応用の一つであることが挙げられる。
【０００３】
一般的に言えば、血圧計としては、膨張可能なカフを腕に巻きつけて装着した後に、そのカフの空気袋に結合された１本のチューブから空気を圧入して空気袋を膨張（充気）させて血流を阻害するようにして、その後にチューブから空気を排出（排気）させて徐々に減圧する方法により、血圧値を測定するものが主流となっている。その内、血圧計における主な部品の一つである排気弁とは、腕に装着したカフ圧が測定値である所定の充気圧力に達すると、緩慢速度の排気弁より排気作動を行って徐々に圧力を減圧する役割として働いているので、血圧測定の目的を達成することができる。
【０００４】
具体的に言えば、特許文献１に提案された排気弁では、図３を参照すれば、主に可撓性を有するエアロック３００を中空弁体３２０内に装設し、かつ高圧ガスが給気口３１０から中空弁体３２０内に進入する場合には、エアロック３００は空気圧作用により、自体変形が生じることを利用して、エアロック３００が中空弁体３２０に対して通気流路３３０を形成させることによって、高圧ガスを通気流路３３０を経由して排気口３４０から中空弁体３２０の外部へ排出させることが可能となる。
【０００５】
また、特許文献２に提案された別の排気弁においては、弁体４００と、優れた弾性を有するエアカップ４１０と、調節栓４２０と、を備える。その内、エアカップ４１０のカップ本体の側縁には少なくとも１つの抜け口４２１が設けられ、しかも調節栓４２０がエアカップ４１０の内部に移動することによって、上記複数の抜け口４２１が、異なる口径サイズに構成されているので、排気量を制御する効果が達成できる。
【０００６】
しかしながら、上述した可撓性を有するエアロックを利用する方法や、優れた弾性を有するエアカップを利用する方法等にかかわらず、現在使用されている材料について言えば、その大半は、例えば、ゴムやプラスチック等の材質を使用するものとし、このような材質は、より広い範囲の温度環境には適用し得ていないのが現状である。より具体的に言えば、もし高温環境下、または低温環境下に測定された血圧値が影響を受ければ、正確な測定結果が得られなくなる可能性がある。さらに、上述したように、提供された排気弁は指型血圧計の測定に適用することができず、その主因としては、指を測定するためには僅かな排気流量しか必要としないので、可撓性や、優れた弾性を有する材料を利用することでは、このような効果を達成することができない点と考えられる。
【先行技術文献】
【特許文献】
【０００７】
【特許文献１】台湾登録実用新案第Ｍ２８３６１１号明細書
【特許文献２】台湾登録実用新案第Ｍ２５５７０７号明細書
【発明の概要】
【発明が解決しようとする課題】
【０００８】
上記の状況を鑑み、本発明の目的は、主に材質が金属であるエアカップを利用するとともに、エアカップの内部の形状に対応する調節栓の挿入脚により、ガスの排気速度を制御調節することができる排気弁を提供することにある。
【課題を解決するための手段】
【０００９】
本発明に係る排気弁は、弁体と、キャップと、エアカップと、調節栓と、を備えるように構成される。弁体は、中空状を呈する筒身を有し、筒身の一端に入気孔を設け、かつ筒身の内部に階段状止縁を有する。また、キャップは、筒身の他端に設けられ、かつ階段状止縁に相対して収容空間を有し、しかもキャップの内部に第１の螺合ユニットを設ける。そして、エアカップは、階段状止縁とキャップとの間に挟設されるためのカップ辺縁を有するとともに、挿入接続部を有し、しかもエアカップの材質が金属である。さらに、調節栓は、収容空間内に挿設され、しかも第１の螺合ユニットと螺接するための第２の螺合ユニットを設け、その内、調節栓は、エアカップの挿入接続部に挿入して閉塞されるように、第２の螺合ユニットに相対して挿入脚が延設され、かつ挿入脚の形状がエアカップの内部の形状に対応することにより、挿入脚が挿入接続部に対して選択的に移動してスリットを形成したときに、ガスの排気速度を調節するようになっている。
【００１０】
弁体は、さらに排気孔が設けられており、しかもガスが、入気孔から進入し、スリットを経由して排気孔から排出されることがより好ましい。
【００１１】
第１の螺合ユニットが螺合孔であることがより好ましい。
【００１２】
第２の螺合ユニットがおねじであることがより好ましい。
【００１３】
調節栓の端縁に溝槽が設けられていることによって、工具により溝槽を利用して調節栓を駆動させるように提供することがより好ましい。
【発明の効果】
【００１４】
以上に述べたように、本発明の排気弁によれば、下記のような優れた効果を奏し得る。
【００１５】
（１）本発明の排気弁は、主に金属材質のエアカップを用いるとともに、調節栓の挿入脚の形状が当該エアカップの内部の形状に対応することにより、その挿入脚がその挿入接続部に対して選択的に移動してスリットを形成したときに、ガスの排気速度を調節することが可能となる。
【００１６】
（２）エアカップが延伸部を有していないので、排気弁の小型化を図るに有利である。
【００１７】
（３）エアカップが金属材質であるため、高温または低温環境のいずれにおいてもより優れた測定の正確度を有している。
【００１８】
（４）本発明の排気弁は、腕、手首、または指型血圧計のいずれも適用することができる。
【図面の簡単な説明】
【００１９】
【図１】本発明の排気弁を示す断面図。
【図２】本発明の排気弁を示す立体模式図。
【図３】従来技術の排気弁を示す断面図。
【図４】別の従来技術の排気弁を示す断面図。
【発明を実施するための形態】
【００２０】
図１及び図２を参照し、図１は、本発明の排気弁を示す断面図であり、図２は、本発明の排気弁を示す立体模式図である。図１及び図２に示すように、本発明に係る排気弁は、弁体２００と、キャップ２１０と、エアカップ２２０と、調節栓２３０とを備えるように構成される。弁体２００は、中空状を呈する筒身２０１を有し、筒身２０１の一端に入気孔２０２を設け、かつ筒身２０１の内部に階段状止縁２０３を有する。また、キャップ２１０は、筒身２０１の他端に設けられ、かつ階段状止縁２０３に相対して収容空間２１１を有し、しかもキャップ２１０の内部に第１の螺合ユニット２１２を設ける。そして、エアカップ２２０は、階段状止縁２０３とキャップ２１０との間に挟設されるためのカップ辺縁２２１を有するとともに、エアカップ２２０は、挿入接続部２２２を有し、しかもエアカップ２２０の材質が金属である。さらに、調節栓２３０は、収容空間２１１内に挿設され、しかも第１の螺合ユニット２１２と螺接するための第２の螺合ユニット２３１を設け、その内、調節栓２３０は、エアカップ２２０の挿入接続部２２２に挿入して閉塞されるように、第２の螺合ユニット２３１に相対して挿入脚２３２が延設され、かつ挿入脚２３２の形状がエアカップ２２０の内部の形状に対応することにより、挿入脚２３２が挿入接続部２２２に対して選択的に移動してスリット２３３を形成したときに、ガスの排気速度を調節するようになっている。
【００２１】
より詳細に言えば、挿入脚２３２の形状がエアカップ２２０の内部の形状に対応するようにした主な作用は、両方の形状が互いに対応することにより、挿入脚２３２がエアカップ２２０の内部に完全に挿入して閉塞された場合に、上記のスリット２３３を形成しないことができる。また、排気速度を調節する必要がある場合には、調節栓２３０の端縁に溝槽２３４が設けられていることがより好ましい。そして、工具により溝槽２３４を利用して調節栓２３０を駆動させる。これにより、挿入脚２３２がエアカップ２２０の内部にまだ完全に挿入して閉塞されていない場合に、挿入脚２３２とエアカップ２２０の内部との間には、スリット２３３が形成されているので、ガスがそのスリット２３３から排出することになり、形成されたスリット２３３がより大きい場合には、より速い排気速度を有する。一方、形成されたスリット２３３がより小さい場合には、ガスの速度はより遅い排気速度となる。より好ましいのは、弁体２００は、さらに排気孔２０４が設けられており、しかもガスの排気経路２４０は、入気孔２０２から進入し、スリット２３３を経由して排気孔２０４から排出するよう形成されている。この観点から見れば、本発明の排気弁は、排気速度を調節する効果を達成することができる。
【００２２】
特筆すべきことは、本発明の排気弁の特徴の一つとして、金属材質のエアカップ２２０と調節栓２３０との間の対応構造を利用することにあり、即ち、挿入脚２３２の形状がエアカップ２２０の内部の形状に対応することにより、ガスの排気速度を調節することが達成できるようになっている。また、本発明の排気弁の一実施例において、ガスの排気経路２４０が従来技術とは異なっている。詳しく言えば、従来技術のガスの排気経路では最終的には調節栓上の排気孔からガスを排出するのが普通であるが、それに反して本発明の排気弁の弁体２００は、さらに排気孔２０４が設けられているのが好ましく、それでガスが、入気孔２０２から進入し、スリット２３３を経由して排気孔２０４から排出されるようにする。したがって、本発明の排気弁は、エアカップ２２０の材質の使用が従来技術と異なるのみならず、実質的に排気方法も従来技術と異なっている。
【００２３】
より好ましいのは、第１の螺合ユニット２１２が螺合孔であり、第２の螺合ユニット２３１がおねじである。その内、螺合孔及びおねじが互いに対応するようにするのが好ましい。言い換えれば、おねじが螺合孔に対して螺接して相対的に移動する場合には、実質的に調節栓２３０の挿入脚２３２がエアカップ２２０の挿入接続部２２２内に移動可能となり、これによってスリットが選択的に形成されることから、ガスの排気速度を正確に調整する目的が達成できる。そのほかには、本発明の排気弁は、主に、上記した方法を利用して排気速率を調節する目的を達成するようにし、これによりエアカップ２２０はより長い延伸部の必要がなくなるため、抜け口が排気が原因で延伸して生じる引裂きの発生を避けることができるので、排気弁の小型化を図るに有利である。
【００２４】
また、本発明の排気弁のエアカップ２２０が金属材質からなるので、金、銀、銅、鉄、チタン或いはそれらの合金等から選ばれる材質であることが好ましく、金属を選択するために主な考慮点としては、金属の熱膨張係数が低いほどよいことである。しかも本発明の排気弁の使用温度環境下でも、固相あるいは固溶相のままに保持することができるのが好ましい。さらに言えば、エアカップ２２０のために選ばれる材質は、外界温度から影響を受けないもしくは僅かしか受けないので、本発明の排気弁は幅広い使用温度範囲においてもより安定的な排気速率を有することができる。さらに、本発明の排気弁は、例えば、腕、手首、または指型血圧計等様々なタイプの血圧計に適用されている。
【符号の説明】
【００２５】
２００：弁体
２０１：筒身
２０２：入気孔
２０３：階段状止縁
２０４：排気孔
２１０：キャップ
２１１：収容空間
２１２：第１の螺合ユニット
２２０：エアカップ
２２１：カップ辺縁
２２２：挿入接続部
２３０：調節栓
２３１：第２の螺合ユニット
２３２：挿入脚
２３３：スリット
２３４：溝槽
２４０：排気経路
３００：エアロック
３１０：給気口
３２０：中空弁体
３３０：通気流路
３４０：排気口
４００：弁体
４１０：エアカップ
４２０：調節栓
４２１：抜け口
【図１】
0005441132.tif 000002
【図２】
0005441132.tif 000003
【図３】
0005441132.tif 000004
【図４】
0005441132.tif 000005